(57)【要約】【課題】貯蔵室に蓄冷部材を設けた冷蔵庫において、蓄冷部材を効率的に冷却して小貯蔵室を所望温度に安定して冷却することができる冷蔵庫を提供する。【解決手段】  前面に開口する貯蔵室４を備えた冷蔵庫本体２と、貯蔵室の４開口部４ａを閉塞する扉３０と、扉３０の内側面に設けられた容器保持部３９と、貯蔵室４内を冷却する冷却部とを備え、容器保持部３９は、上方に開口し貯蔵物Ｍを出し入れする挿入口４０と、扉３０の内側面との間で貯蔵物Ｍを収納する空間を形成する周壁部４１と、容器保持部３９の下端部に穿設された通気口４３とを備える。【選択図】        図１
2017161107.tif 000002
【特許請求の範囲】
【請求項１】
前面に開口する貯蔵室を備えた冷蔵庫本体と、
前記貯蔵室の開口部を閉塞する扉と、
前記扉の内側面に設けられた容器保持部と、
前記貯蔵室内を冷却する冷却部とを備え、
前記容器保持部は、上方に開口し貯蔵物を出し入れする挿入口と、前記扉の内側面との間で貯蔵物を収納する空間を形成する周壁部と、前記容器保持部の下端部に穿設された通気口とを備える冷蔵庫。
【請求項２】
前記扉の下端部に取り付けられ前記扉を開閉可能に前記冷蔵庫本体に固定するヒンジと、前記貯蔵室の開口部の周縁部と前記扉との間をシールするガスケットを備え、
前記ヒンジの回動軸が、前記ガスケットより下方で、かつ、前後方向に前記貯蔵室と重なる位置にある請求項１に記載の冷蔵庫。
【請求項３】
前記ヒンジの回動軸が、前記貯蔵室の前後方向中央部より前方に位置する請求項２に記載の冷蔵庫。
【請求項４】
前記扉の下端部に取り付けられ前記扉を開閉可能に前記冷蔵庫本体に固定するヒンジと、前記冷蔵庫本体を支持するスタンドを備え、
前記冷蔵庫本体に対する前記スタンドの固定部が、前記ヒンジの回動軸より上方に位置する請求項１〜３のいずれか１項に記載の冷蔵庫。
【請求項５】
前記貯蔵室の開口部の周縁部と前記扉との間をシールするガスケットを備え、
前記ガスケットが前記冷蔵庫本体に固定されている請求項１〜４のいずれか１項に記載の冷蔵庫。
【請求項６】
前記扉が前記ガスケットの内方全体を覆う真空断熱パネルを備える請求項５に記載の冷蔵庫。
【請求項７】
前記容器保持部の前記周壁部は、貯蔵物の背面を保持する背板部を備え、
前記背板部の上部が前記扉から離れる方向へ回動する請求項１〜６のいずれか１項に記載の冷蔵庫。
【請求項８】
前記容器保持部の前記周壁部は、貯蔵物の背面及び側面を覆い、前記周壁部の上端が前記貯蔵室の上下方向の中央部より上方に位置する請求項１〜７のいずれか１項に記載の冷蔵庫。
【請求項９】
前記冷却部は、前記貯蔵室の上面に沿わせて設けられた冷却板と、前記冷却板を冷却する冷熱源とを備える請求項１〜８のいずれか１項に記載の冷蔵庫。
【請求項１０】
前記冷却板の除霜水を貯水する蒸発皿を備え、
前記貯蔵室の側方に前記冷熱源と前記蒸発皿とを収納する機械室を備える請求項１〜９のいずれか１項に記載の冷蔵庫。
【請求項１１】
前記扉の開度を規制するストッパが、前記冷蔵庫本体の側面に設けられている請求項１〜１０のいずれか１項に記載の冷蔵庫。
【請求項１２】
前記容器保持部が透明である請求項１〜１１のいずれか１項に記載の冷蔵庫。
【請求項１３】
前記貯蔵室の背面が鏡面である請求項１〜１２のいずれか１項に記載の冷蔵庫。
【発明の詳細な説明】
【技術分野】
【０００１】
本発明の実施形態は、冷蔵庫に関するものである。
【背景技術】
【０００２】
従来、寝室や病室等のスペースが限られた場所に設置しやすいように薄型化した冷蔵庫が知られている（例えば、下記特許文献１）。
【０００３】
このような冷蔵庫では、送風ファンを設けることなく自然対流によって空気を循環させて貯蔵室内を冷却しているが、冷蔵庫の薄型化に伴って貯蔵室の奥行き寸法が小さいため、貯蔵室内における空気の循環スペースが限られており、貯蔵室に収容された貯蔵物が効率的に冷却されにくい。
【先行技術文献】
【特許文献】
【０００４】
【特許文献１】実用新案登録第３１１７７６６号公報
【発明の概要】
【発明が解決しようとする課題】
【０００５】
そこで、薄型化した冷蔵庫において、貯蔵室内の空気が循環しやすく効率的に貯蔵物を冷却することができる冷蔵庫を提供することを目的とする。
【課題を解決するための手段】
【０００６】
本実施形態の冷蔵庫は、前面に開口する貯蔵室を備えた冷蔵庫本体と、前記貯蔵室の開口部を閉塞する扉と、前記扉の内側面に設けられた容器保持部と、前記貯蔵室内を冷却する冷却部とを備え、前記容器保持部は、上方に開口し貯蔵物を出し入れする挿入口と、前記扉の内側面との間で貯蔵物を収納する空間を形成する周壁部と、前記容器保持部の下端部に穿設された通気口とを備えるものである。
【図面の簡単な説明】
【０００７】
【図１】本発明の一実施形態に係る冷蔵庫の断面図である。
【図２】図１の冷蔵庫の開扉状態を示す側面図である。
【図３】図２のＡ−Ａ断面図である。
【発明を実施するための形態】
【０００８】
以下、図面に基づいて本発明の一実施形態について説明する。
【０００９】
本実施形態に係る冷蔵庫１は、図１〜図３に示すように、奥行き寸法に比べて幅方向及び高さ方向の寸法が大きい略矩形箱状をなした冷蔵庫本体２と冷蔵庫本体２を支持するスタンド６０とを備える。
【００１０】
冷蔵庫本体２は、外面を構成する外箱３と、内側に貯蔵室４を形成する内箱５と、外箱３及び内箱５の間に発泡断熱材６及び真空断熱パネル７を収納する本体断熱部９が形成されている。
【００１１】
真空断熱パネル７は、例えば、アルミニウム箔と合成樹脂のラミネートフィルムを製袋した厚みが７０〜１２０μｍ程度のガスバリア容器に、綿状のガラス繊維（グラスウール）からなるコア材を収納し、ガスバリア容器の内部を０．０３〜３０Ｐａ程度に真空排気した状態で封止して形成された板状の部材である。真空断熱パネル７は、内箱５に接して貯蔵室４の背面全体を覆うように冷蔵庫本体２の背面壁２ａに埋設されている。
【００１２】
発泡断熱材６は、ポリウレタンフォーム原液を本体断熱部９に発泡充填することで本体断熱部９における真空断熱パネル７以外の部分に設けられ、外箱３、内箱５及び真空断熱パネル７を一体化する。
【００１３】
貯蔵室４は、ペットボトルやビンや缶等の飲料容器等の貯蔵物Ｂを収納して冷却する空間であって、前面に貯蔵物Ｂを出し入れする開口部４ａが形成されている。貯蔵室４の前面開口部４ａは、その周縁部に設けられたガスケット１０を介して扉３０が閉塞している。
【００１４】
ガスケット１０は、貯蔵室４の前面開口部４ａを取り囲むように冷蔵庫本体２の前端面に設けられた取付凹部８に、ガスケット１０に設けられた断面くさび形のアンカー形状の装着部１０ａが嵌入されている。これにより、ガスケット１０は、貯蔵室４の前面開口部４ａを取り囲むように冷蔵庫本体２に固定され、貯蔵室４の開口部４ａの周縁部と扉３０との間をシールしている。
【００１５】
扉３０は、庫外側に配された扉面材３１と、庫内側に配され扉３０の内側面を構成する扉内板３２と、扉面材３１及び扉内板３２の上下端部を連結する上キャップ３３及び下キャップ３４と、扉面材３１と扉内板３２との間に挟まれた扉断熱部３５とを備える。
【００１６】
詳細には、図１及び図２に示すように、扉面材３１は、両側縁を冷凍室側にコ字状に折り曲げて側壁３６が形成された鋼板からなる。側壁３６の先端部には、合成樹脂材を板状に形成してなる扉内板３２が固定されている。これにより、扉面材３１と扉内板３２との間には、上下に開口した扉断熱部３５が形成される。
【００１７】
上キャップ３３は、合成樹脂からなり、扉断熱部３５の上面開口を閉塞して扉３０の上面を構成する。下キャップ３４は、合成樹脂からなり、扉断熱部３５の下面開口を閉塞して扉３０の下面を構成する。
【００１８】
扉断熱部３５は、扉面材３１、扉内板３２、及び上下キャップ３３，３４によって閉塞された空間であり、その内部に真空断熱パネル３７と発泡断熱材３８が配設される。
【００１９】
真空断熱パネル３７は、冷蔵庫本体２の本体断熱部９に設けられた真空断熱パネル７と同様の構成を備えた板状の部材であり、ガスケット１０の内方に形成された開口部全面を覆うように扉内板３２と接触させて扉断熱部３５に設けられている。
【００２０】
発泡断熱材３８は、ポリウレタンフォーム原液を扉断熱部３５に発泡充填することで扉断熱部３５における真空断熱パネル３４以外の部分に設けられ、扉面材３１、扉内板３２、上下キャップ３３，３４、及び真空断熱パネル３４を一体化する。
【００２１】
扉３０の扉内板３２には、扉内板３２との間でペットボトルやビンや缶等の飲料容器等の貯蔵物Ｂを扉内板３２に沿わせて保持する容器保持部３９が設けられている。容器保持部３９は、上方に開口し貯蔵物Ｂを出し入れする挿入口４０と、貯蔵物Ｂの背面及び側面を覆う周壁部４１と、周壁部４１の下端部に設けられ貯蔵物Ｂの底面を支持する底板部４２とを備える。容器保持部３９は、扉３０の扉内板３２との間に上方に挿入口４０が開口する貯蔵物Ｂを収納するための収納空間Ｓを区画する。容器保持部３９は、扉３０を開扉すると扉３０とともに貯蔵室４の外側へ引き出され、閉扉すると貯蔵室４の内壁面との間に空気が流通する空間を残して貯蔵室４内に収納される。
【００２２】
容器保持部３９の周壁部４１は、貯蔵物Ｂの背面を覆う背板部４４と、背板部４４と扉内板３２とを連結し貯蔵物Ｂの左右側面を覆う左右一対の側板部４５とを備えた水平断面コ字状の部材である。この例では周壁部４１の上端が貯蔵室４の上下方向の中央部より上方へ延びており、周壁部４１が貯蔵物Ｂを上下方向のほぼ全体にわたって覆うようになっている。
【００２３】
背板部４４は、底板部４２及び側板部４５と一体に設けられた下背板部４６と、下背板部４６の上方に設けられ上背板部４７とに上下に二分割されている。下背板部４６には、収納空間Ｓと冷蔵庫本体２に設けられた貯蔵室４とを連通する通気口４３が設けられている。
【００２４】
上背板部４７は、下端部が左右の側板部４５に設けられた軸部４８に回動可能に連結されており、上端部が扉３０の扉内板３２から離れる方向（つまり、後方）へ回動するようになっている。
【００２５】
このような扉３０は、ヒンジ５０によって開閉可能に冷蔵庫本体２に連結されている。具体的には、ヒンジ５０は、冷蔵庫本体２の前側下端部と扉３０の下端部とを連結し、冷蔵庫本体２に設けられた回動軸５２を中心に扉３０を回動させて貯蔵室４の開口部４ａを開閉する。
【００２６】
ヒンジ５０の回動軸５２は、貯蔵室４の前面開口部４ａの周縁部に設けられたガスケット１０より下方で、かつ、前後方向に貯蔵室４と重なる位置（つまり、貯蔵室４の開口部４ａから貯蔵室の背面までの領域と前後方向に重なる位置）に設けられ、好ましくは、貯蔵室４の開口部４ａから貯蔵室４の前後方向中央部までの領域と前後方向に重なる位置に設けられている。
【００２７】
また、冷蔵庫本体２の側壁２ｂにはストッパ５６が固定されている。このストッパ５６は、扉３０が回動軸５２の周りに所定角度回動するとヒンジ５０に設けられた凸部５４と当接することで扉３０の更なる回動を規制し、所定角度回動した開扉位置で扉３０を保持する。なお、ストッパ５６は、ネジ止めなどにより取り外し可能に冷蔵庫本体２に固定されてもよい。ストッパ５６を取り外すことで扉３０を大きく開くことができ、貯蔵室４の清掃しやすくなる。
【００２８】
冷蔵庫本体２を支持するスタンド６０は、冷蔵庫本体１１の下方に設けられた支持部６１と、冷蔵庫本体２の背壁２ａに沿って設けられた取付部６２とを有している。支持部６１は、水平な設置面に載置される第１面６１ａと、冷蔵庫本体２の底面２ｃの前後方向の少なくとも一部に接している第２面６１ｂとを有している。
【００２９】
取付部６２は、冷蔵庫本体２とスタンド６０とを固定するためのブラケットである。取付部６２は、支持部６１の第２面６１ｂの後端から冷蔵庫本体２の背壁２ａに沿って立ち上がり、冷蔵庫本体２に設けられたヒンジ５０の回動軸５２より上方位置においてネジ等の固定部６３により冷蔵庫本体２の背壁２ａに固定されている。なお、固定部６３を螺合するネジ孔としてＶＥＳＡ規格に合致したネジ孔を取付部６２に設けてもよい。このような場合、ＶＥＳＡ規格に合致した壁掛けブラケットやアームスタンドなどに冷蔵庫を支持させることができる。
【００３０】
冷蔵庫本体２に設けられた貯蔵室４は、冷却板７０、熱交換部７１及び冷熱源７２を備える冷却部によって冷却される。
【００３１】
冷却板７０は、貯蔵室４における容器保持部３９の上方に配置され、貯蔵室４内の空気を冷却するものである。冷却板７０は、貯蔵室４の上面に沿って設けられた略平板状の基部７４と、基部７４から下方に突出する複数のフィン７５を備える。
【００３２】
基部７４は、貯蔵室４のほぼ全幅にわたって設けられており、幅方向一方側（図３において左側）から冷蔵庫本体２の側壁を通って貯蔵室４の外側に設けられた機械室７６へ引き出され、冷蔵庫本体２の側壁２ｂに沿わせて設けられた熱交換部７１に接続されている。基部７４と熱交換部７１とは、アルミニウムなどの金属板を折り曲げて一体に形成されている。
【００３３】
フィン７５は、前後方向へ延びる金属板からなり、幅方向に間隔をあけて複数枚設けられている。この例では、フィン７５は、機械室７６から離れるほど（つまり、図３において右側に行くほど）フィン７５の間隔が小さく設けられている。
【００３４】
冷却板７０の下方には、冷却板７０の除霜水を受ける樋７８が設けられている。この樋７８は、冷却板７０と対向する内底面７８ａと、内底面７８ａの前端部から突出する前壁部７８ｂと、内底面７８ａの後端部から突出する後壁部７８ｃとを備る。内底面７８ａは、幅方向他方側から一方側に行くほど低くなるように傾斜している。前壁部７８ｂは、後壁部７８ｃより内底面７８ａからの突出高さが低い。また、前壁部７８ｂは、上方に行くほど樋７８の上面開口が広がるように傾斜している。
【００３５】
樋７８は、幅方向一方側（図３において左側）から冷蔵庫本体２の側壁を通って機械室７６へ引き出され、機械室７６に設けられた蒸発皿７７の上方で終端している。これにより、樋７８は、冷却板７０で発生した除霜水を受けて止めて幅方向一方側へ流し、蒸発皿７７へ除霜水を注ぎ込む。
【００３６】
冷蔵庫本体２の左右一方の側壁２ｂの外側に設けられた機械室７６には、上記した熱交換部７１や蒸発皿７７以外にも、冷熱源７２や放熱器７９や放熱ファン８０が収納されている。
【００３７】
冷熱源７２は、通電することにより一方面７２ａで吸熱、他方面７２ｂで発熱が生じるペルチェ素子を備える。冷熱源７２の一方面（吸熱側）７２ａには熱交換部７１が面接触し、冷熱源７２の他方面（発熱側）７２ｂにはアルミニウムなどの金属からなる放熱器７９が面接触している。これにより、冷熱源７２で発生した冷熱は、一方面７２ａから熱交換部７１を介して冷却板７０の基部７４へ伝達されて冷却板７０を冷却する。一方、冷熱源７２で発生した熱は、他方面７２ｂから放熱器７９へ伝達される。
【００３８】
放熱器７９は、この例では、一対の板部７９ａ，７９ｂが上端で繋がった下方に開いた断面コ字状の部材であり、一方の板部７９ａに冷熱源７２の他方面７２ｂが接触し、他方の板部７９ｂが蒸発皿７７の内部へ延び蒸発皿７７に溜まった除霜水に浸かるようになっている。放熱器７９は、蒸発皿７７に溜まった除霜水と熱交換し冷却されるとともに除霜水の蒸発を促す。放熱ファン８０は、放熱器７９及び蒸発皿７７に溜まった除霜水に向けて送風することで、放熱器７９を冷却するとともに、蒸発皿７７の除霜水の蒸発を促す。
【００３９】
また、冷蔵庫本体２の幅方向他方側（図３において右側）には、機械室７６に設けられた冷熱源７２を構成するペルチェ素子や放熱ファン８０を制御する制御基板８２を収納する基板収納室８４が設けられている。
【００４０】
上記構成の冷蔵庫１では、容器保持部３９の上方に設けられた冷却板７０によって冷却された空気は、図１において矢印で示すように、扉内板３２と容器保持部３９との間に設けられた収納空間Ｓに流れ込んで収納空間Ｓ内の貯蔵物Ｂを冷却する。貯蔵物Ｂを冷却した空気は、容器保持部３９の下背板部４６に設けられた通気口４３を通って収納空間Ｓから容器保持部３９と貯蔵室４との間にできた空間へ流れ出し、当該空間を通って上方へ流れ、再び冷却板７０で冷却される。このように貯蔵室４の空気の循環によって収納空間Ｓ内の貯蔵物Ｂが冷却される。
【００４１】
以上のような本実施形態では、容器保持部３９が上方に開口する挿入口４０と下端部に穿設された通気口４３とを備えるため、収納空間Ｓに流れ込んだ空気が、収納空間Ｓ内の貯蔵物Ｂを冷却した後、収納空間Ｓの外部へスムーズに排出され冷却板７０で冷却される。そのため、本実施形態では、貯蔵室４内で自然対流が起きやすく効率的に貯蔵物Ｂを冷却することができる。
【００４２】
しかも、本実施形態では、冷却板７０の下方に樋７８が設けられているが、樋７８の前壁部７８ｂの突出高さが後壁部７８ｃより低いため、冷却板７０によって冷却された空気が樋７８の前後方向一方側（つまり、前壁部７８ｂ）より落下して収納空間Ｓへ流れ込み、貯蔵室４内において自然対流が発生しやすくなり、効率的に貯蔵物Ｂを冷却することができる。
【００４３】
本実施形態では、扉３０と冷蔵庫本体２と連結する連結するヒンジ５０の回動軸５２が、貯蔵室４の開口部４ａの周縁部に設けられたガスケット１０より下方に設けられているため、開扉時に扉３０がガスケット１０と干渉することがない。
【００４４】
しかも、本実施形態では、ヒンジ５０の回動軸５２が、貯蔵室４の開口部４ａより後方に位置しているため、閉扉時に貯蔵物Ｂによるモーメントを小さくして閉扉時の衝撃を和らげることができる。また、本実施形態では、ヒンジ５０の回動軸５２が、貯蔵室４の前後方向中央部より前方に位置しているため、扉３０の重心位置より前方に配置されやすく、扉３０が自重で開扉しにくくなる。そのため、扉３０を閉扉状態の保持するための機構を簡略化することができる。
【００４５】
また、本実施形態では、冷蔵庫本体２を支持するスタンド６０が、ヒンジ５０の回動軸５２より上方に配置された固定部６３により冷蔵庫本体２に固定されているため、扉３０の開扉時の衝撃によって生じる回動軸５２周りのモーメントを受けても固定部６３にかかる負荷を和らげることができ、スタンド６０の耐久性を向上させることができる。
【００４６】
本実施形態では、貯蔵室４の開口部４ａの周縁部と扉３０との間をシールするガスケット１０が冷蔵庫本体２に固定されているため、収納空間Ｓから貯蔵物Ｂを取り出す際にガスケット１０と接触することなく使い勝手を向上することができるとともに、ガスケット１０を固定するための取付凹部８を扉３０に設ける必要がないため、扉３０の厚みを抑えつつ断熱性能を確保することができる。特に、扉３０に真空断熱パネル３７を埋設する場合に、ガスケット１０の内方に形成された開口部全面を覆うように扉内板３２と接触させて真空断熱パネル３７を設けることができ、扉３０の薄型化と高い断熱性能とを両立することができる。
【００４７】
本実施形態では、容器保持部３９の上背板部４７が、扉３０の扉内板３２から離れるように後方へ回動するようになっているため、収納空間Ｓから貯蔵物Ｍを取り出す際に容器保持部３９の上背板部４７が障害とならずスムーズに貯蔵物Ｍを取り出すことができる。
【００４８】
本実施形態では、容器保持部３９の周壁部４１が、貯蔵物Ｍの背面及び側面を覆い、周壁部４１の上端が貯蔵室４の上下方向の中央部より上方に位置するため、開扉時であっても貯蔵室４前面の大部分を周壁部４１で塞いでおくことができ外部空気の貯蔵室４への浸入を防ぐことができる。
【００４９】
（その他の実施形態）
上記した実施形態では、容器保持部３９を構成する周壁部４１の下背板部４６に通気口４３を設けたが、これに換えて、あるいはこれに加えて底板部４２や側板部４５の下端部に通気口を設けてもよい。
【００５０】
また、容器保持部３９を透明な材料で構成したり、あるいは、貯蔵室４の背面など内壁面を鏡面に設けてもよい。これにより、収納空間Ｓに収納された貯蔵物Ｂを判別しやすくなる。
【００５１】
また、扉断熱部３５における真空断熱パネル３７の前側に液晶パネルを埋設するとともに、扉面材３１のうち少なくとも液晶パネルの前方に位置する部分に開口部を設けたり、あるいは当該部分を透明部材で構成してもよい。このような場合、寝室やオフィスなどディスプレイが必要な場所に置き場を気にせず小型の冷蔵庫を設置することができる。
【００５２】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５３】
１…冷蔵庫、２…冷蔵庫本体、４…貯蔵室、４ａ…開口部、８…取付凹部、１０…ガスケット、１０ａ…装着部、３０…扉、３７…真空断熱パネル、３８…発泡断熱材、３９…容器保持部、４０…挿入口、４１…周壁部、４２…底板部、４３…通気口、４４…背板部、４５…側板部、４６…下部背板部、４７…上部背板部、４８…軸部、５０…ヒンジ、５２…回動軸、５４…凸部、５６…ストッパ、６０…スタンド、６１…支持部、６２…取付部、７０…冷却板、７１…熱交換部、７２…冷熱源、７４…基部、７５…フィン、７６…機械室、７７…蒸発皿、７８…樋、７９…放熱器、８０…放熱ファン
【図１】
2017161107.tif 000003
【図２】
2017161107.tif 000004
【図３】
2017161107.tif 000005